(57)【要約】  化学発光容器（１０）は第一化学発光流体（１１０）を含有する封止された壁で囲まれたキャビティ（２４）を形成する二重壁組立体（１２）から構成される。圧縮可能なドーナツ管（４０）は第二化学発光流体（１２０）を含有する封止管キャビティ（４４）を規定する。破壊されやすいバリヤー（４２ａ）は管キャビティ（４４）と壁キャビティ（２４）を分離する。二重壁組立体に取り付けられかつ流体開口を有する首部で終わる側壁（２０ａ）は飲料流体（１００）を保持する内部容器（２２）を形成する。内部キャップ（５５）は内部容器（２２）の首部（３２）と封止クロージャを形成する。外部キャップは内部キャップ（５５）を含み、圧縮可能なドーナツ管を偶然の圧縮から防護するために延びる。一側面では、第一及び第二化学発光流体は内部容器に含まれる飲料の特徴を意味する特定の色を生成するように選択される。【選択図】図１
2007510597.tif 000002
【特許請求の範囲】
【請求項１】
下記のものを含む化学発光容器：
第一化学発光流体を含有する第一封止キャビティを有し、かつ第二化学発光流体を含有する第二封止キャビティを有する二重壁容器；
前記第一キャビティと前記第二キャビティを分離する破壊されやすいバリヤー；及び
回転可能部材の回転時に前記破壊されやすいバリヤーを破壊するように適応された回転可能部材。
【請求項２】
前記回転可能部材がキャップを含み、前記キャップが前記二重壁容器によって受けられ、かつ前記キャップの回転前に前記破壊されやすいバリヤーの破壊を防止するように適応されている請求項１に記載の化学発光容器。
【請求項３】
前記キャップが除去可能なキャップを含み、前記除去可能なキャップが前記除去可能なキャップの除去時に前記破壊されやすいバリヤーを破壊するように適応されている請求項２に記載の化学発光容器。
【請求項４】
前記キャップ及び前記二重壁容器が封止可能なクロージャを形成するように適応されている請求項１に記載の化学発光容器。
【請求項５】
下記のものを含む化学発光容器：
第一化学発光流体を含有する封止壁キャビティを有する二重壁容器；
第二化学発光流体を含有する封止カプセルキャビティを有し、かつ前記カプセルキャビティと前記壁キャビティを分離する破壊されやすいバリヤーを含むカプセル；及び
前記二重壁容器によって受けられ、かつ前記破壊されやすいバリヤーの破壊を防止するように適応されているキャップ。
【請求項６】
前記キャップが除去可能なキャップを含み、前記除去可能なキャップが前記除去可能なキャップの除去時に前記破壊されやすいバリヤーを破壊するように適応されている請求項５に記載の化学発光容器。
【請求項７】
前記キャップ及び前記二重壁容器が封止可能なクロージャを形成するように適応されている請求項５に記載の化学発光容器。
【請求項８】
下記のものを含む化学発光容器：
外部壁及び内部壁を含み、前記外部壁及び前記内部壁が第一化学発光流体を含有する封止第一成分キャビティを規定する外部容器；
破壊されやすいバリヤー；
封止第二成分キャビティを規定するように前記破壊されやすいバリヤーで形成された中断ドーナツ管であって、前記封止第二成分キャビティが第二化学発光流体を含有し、前記ドーナツ管が３６０度未満にわたる弧に沿って延びるドーナツ管；及び
前記弧によって規定される残りの弧に沿って延びるタブ受容領域。
【請求項９】
下記のものを含むキャップ組立体をさらに含む請求項８に記載の容器：
外部キャップ；及び
前記外部キャップに付けられかつ前記タブ受容領域中に延びる圧縮タブであって、前記キャップ組立体の回転により前記圧縮タブが前記破壊されやすいバリヤーを破壊する圧縮タブ。
【請求項１０】
内部容器をさらに含み、前記内部容器が側壁を含み、前記側壁が流体開口を規定する首部で終わり、前記首部がクロージャ手段を受けるように適応され、
前記キャップ組立体が回転自在に分離可能なクロージャを形成するように前記内部容器の前記首部によって受けられる内部キャップをさらに含む請求項９に記載の化学発光容器。
【請求項１１】
前記内部容器が流体を保持するように適応されている請求項１０に記載の化学発光容器。
【請求項１２】
選択された流体を保持するように適応された封止可能な容器を含む化学発光容器であって、前記化学発光容器がさらに、選択された色の化学発光を生成するように適応され、前記選択された色が前記選択された流体に対応する化学発光容器。
【請求項１３】
前記流体が予め決められた流体の群から選択され、前記色が予め決められた色の群から選択され、前記色の群の各色が前記流体の群の異なる流体に対応する請求項１２に記載の化学発光容器。
【発明の詳細な説明】
【技術分野】
【０００１】
本発明は一般に、流体を含有するときに使用される容器（ｖｅｓｓｅｌｓ、ｃｏｎｔａｉｎｅｒｓ）に関する。特に、本発明は容器壁の封止キャビティ内の二成分反応によって目新しさのために化学発光を与える消費者製品に使用される容器に関する。
【背景技術】
【０００２】
アルコールは人気のある消費者飲料であり、飲食及びダンス施設の如き弱い照明の場所で消費者に出されることが多い。かかる場所では雰囲気は重要な特徴である。かかる施設の所有者は飲食物の特徴を常連によって好まれる望ましい雰囲気に合わせようとする。若々しく活気のある消費者は容器に詰めた飲料を提供する施設を好む。これらの消費者は、かかる消費と関連した容器が新規な外観を与えられるなら、飲料をより魅力的なものであり、かかる飲料を消費する際に伴う活動がより楽しいものであることを見出すことが長い間認識されている。
【０００３】
食料又は飲料のための容器における発光は従来技術で知られている。１９９２年１２月１５日に発行されたＰｉｔａらの米国特許Ｎｏ．５１７１０８１は壁キャビティ内に配置された化学発光流体を有する二重壁プラスチック飲料容器を開示する。別の化学発光流体は容器の上部リムにおける圧縮可能なドーナツ管内に別個に含有される。リムが曲げられると、ドーナツ管は圧縮され、そこに含まれる流体が流体を分離する薄い膜を破壊し、それによって化学発光反応を生成する。
【０００４】
２００２年１１月５日に発行されたＫｕｒｄｉａｎの米国特許Ｎｏ．６４７４４６７では、再充填可能なプラスチック発光瓶が開示される。瓶は個々の化学発光流体を分離する破壊されやすい膜を有するアンプルを含む。
【０００５】
従来技術の管又はアンプルは押しつぶされることから相対的に保護されず、従って偶然又は故意の押しつぶしによって生じる早期の活性化を受ける。最後に、従来技術の容器の化学発光の目新しさはブランド包装された飲料と容易に関連されることができない。なぜならば化学発光の活性化は特定の飲料の消費に必ずしも関連しないからである。
【０００６】
予め包装された飲料分野、特に予め包装されたアルコール飲料分野の視点から、従来技術の化学発光容器は限られた価値を持つ。
【０００７】
必要とされるものは、飲料容器の封止可能なクロージャの開放が同時に化学発光反応体を活性化するシステムを有する飲料を包装するための封止可能な化学発光容器である。
【０００８】
また、必要とされるものは、化学発光反応体を活性化するために一般に使用される圧縮可能な管を保護するための手段を有する飲料を包装するための封止可能な化学発光容器である。
【０００９】
最後に必要とされるものは、飲料及び化学発光成分を選択し、次いで化学発光が飲料の特徴に関する情報を与えるように使用されることができるように化学発光容器を組み立てる方法である。
【発明の開示】
【００１０】
化学発光容器は外部容器によって保持される封止可能な内部容器を有する第一部分から構成され、外部容器は内部と外部容器の間に壁で囲まれたキャビティを形成し、それは第一化学発光流体を含有する。容器の第二部分は第一部分に接し、第二化学発光流体を含有する封止管キャビティを規定する圧縮可能なドーナツ管又はカプセルを含む。好ましくは管壁を含む破壊されやすいバリヤーは管キャビティを壁で囲まれたキャビティから分離する。飲料の如き流体は内部容器の内部キャビティに含有される。第二部分の側壁は流体開口を有する首部で終わる。好ましくは、首部の側壁は内部容器の側壁と隣接する。
【００１１】
除去可能な保護キャップ組立体は、外部キャップ内に含まれかつ外部キャップに強固に取り付けられた内部キャップから形成される。内部キャップは内部容器の首部と封止されたクロージャを形成する。外部キャップは圧縮可能なドーナツ管を偶然の圧縮から守る保護バリヤーを形成するように容器の第二部分を覆うように延びる。好ましい実施態様では、保護キャップの除去により、圧縮タブが管に係合して管を十分に圧縮し、破壊されやすいバリヤーを破壊する。第一及び第二化学発光流体は壁キャビティ内で混合し、飲料を含有する内部容器の封止解除と同時に化学発光反応を生成する。
【００１２】
有利には、第一及び第二化学発光流体は混合されると内部容器に含有される飲料の特徴を示す特定の色を生成するように選択される。
【００１３】
図１，１Ａ及び１Ｂは本発明の化学発光容器の一実施態様の横断面図であり、図１Ａは図１の実施態様の拡大部分図であり、図１Ｂはキャップ組立体が除去された図１の実施態様である。
【００１４】
図２は図１に示された実施態様のキャップ組立体の下側図である。
【００１５】
図３は図１に示された実施態様の内部及び外部容器の頭上図である。
【００１６】
図４Ａ，４Ｂ及び４Ｃは本発明の化学発光容器の三つの実施態様の横断面図であり、各図は一実施態様のドーナツ管及び共通の上部リムの詳細を示す。
【発明を実施するための最良の形態】
【００１７】
今、図１を参照すると、化学発光容器１０が示されている。容器１０は内部側壁２０ａによって規定される内部周囲及び外部側壁２０ｂによって規定される外部周囲を有する二重壁容器１２を形成するために構成された第一又は下方部分を含む。容器１２は内部側壁２０ａ内の容器の部分が飲料の如き流体１００を含有するように適応された内部流体キャビティ又はリザーバ２２を規定するように造形及び適応されている。封止された壁で囲まれたキャビティ２４は二重壁容器１２内の内部側壁２０ａと外部側壁２０ｂの間に配置され、第一化学発光流体１１０を含有する。
【００１８】
今、図１，１Ａ，１Ｂ及び３を参照すると、容器１０は第一部分１２の内部側壁２０ａと隣接する側壁３０を有する第二又は上方部分１４を含む。側壁３０は肩部３０ａを形成し、そこでそれは内部側壁２０ａに出会う。側壁３０は首部３２で終わり、それは流体開口３３を規定する。首部３２は例えばねじのかみ合いによってクロージャ装置を受けるように適応された外部ランド３４を有する。側壁３０及び内部側壁２０ａは同様に降伏変形可能材料である半透明材料から構成されることが好ましい。好適な材料は飲料容器のために適応された押出プラスチックを含む。他の好適な材料はガラス、硬質プラスチック及び飲料容器のために好適な金属を含む。さらに他の好適な材料は当業者に明らかであろう。容器１０が飲料以外の流体１００を含有することを意図される場合、意図した流体を含有するように適応された他の好適な材料は当業者に明らかであろう。
【００１９】
圧縮可能な管４０は壁３０の基部に又はそれに隣接して配置され、そこでそれは肩部３０ａで内部側壁２０ａに出会う。圧縮可能な管４０は管壁４２で形成され、それは少なくともその周囲の部分４２ａに沿って破壊されやすい。特に、管壁４０の破壊されやすい部分４２ａは圧縮可能な管４２の内部と封止された壁キャビティ２４の間の流体連通を可能にする部分である。圧縮可能な管４０の内部は封止された管キャビティ４４を規定し、それは第二化学発光流体１２０を含有する。破壊されやすいバリヤー４２ａは管キャビティ４４と壁キャビティ２４を分離する。除去可能な保護キャップ組立体５０は容器１０の第二部分１４上に受けて図１及び１Ａに示されている。保護キャップ組立体５０は圧縮可能な管４０を偶然又は早期の圧縮から守る保護バリヤーを形成する側壁５０ａを含む。
【００２０】
図２に示されるように、保護キャップ組立体５０は容器１０からの保護キャップ組立体５０の除去時に管４０を圧縮するように適応された構造を含む。この実施態様では、圧縮構造は圧縮タブ５２であるが、同じ機能を果たす他の構造は圧縮タブ５２の代用になりうる。保護キャップ組立体５０の回転除去により、圧縮タブ５２は管４０に係合して管４０を十分に圧縮し、破壊されやすいバリヤー４２ａを破壊する。破壊されやすいバリヤー４２ａの破壊によって、第一化学発光流体１１０及び第二化学発光流体１２０は壁キャビティ２４内で混合する。
【００２１】
図１に示された実施態様では、保護キャップ組立体５０は容器１０内に流体１００を含有するように容器１０と回転自在に分離可能なクロージャを形成するように適応されている。本発明は容器１０の内部周囲２０ａに封止可能に広がる蓋の如き除去可能なクロージャの使用を考慮する。
【００２２】
破壊されやすいバリヤー４２ａの破壊後の第一及び第二化学発光流体１１０，１２０の混合によって化学発光反応を生じる。化学発光反応は壁キャビティ２４内で起こり、有意な熱を生成せずに光を生成する。従って、化学発光容器１０は使用者を熱から保護する必要性なしで化学発光反応時に安全に取り扱われることができる。反応によって生成される光の色は反応の成分を作るために使用される特定の化学薬品、即ち使用される特定の第一及び第二化学発光流体１１０，１２０に依存する。第一及び第二化学発光流体１１０，１２０として対応する反応体の化学薬品を選択することによって多数の色の光のいずれかが化学発光反応で選択的に生成されることができる。本発明と関連して使用されることができる化学発光流体は良く知られている。好ましくは、第一化学発光流体は例えば選択されたプロポリエングリコールビヒドロカルジルエチル溶媒における溶液として存在するオキサレントエステルの如きオキサレントである。オキサレントは溶媒及び螢光体又は溶媒だけを含んでもよい。第二化学発光流体は従来技術で良く知られた方法でオキサレントと結合されるときに所望の化学発光効果を与えることができる活性化剤を含み、それはいずれかの多数の良く知られた容易に商業的に入手可能な活性化剤を含んでもよい。
【００２３】
二重壁容器１５の外部側壁５８は発光が認識されうるために不透明材料から構成される。好適な不透明材料は不透明ガラス及び不透明プラスチックを含むだろう。より好ましくは、外部側壁５８及び内部側壁５７は各々、飲料容器で一般に使用される押出プラスチックの如き降伏変形可能な材料から形成される。
【００２４】
図１は破壊されやすいバリヤー４２ａと一体的に形成された圧縮可能な中断ドーナツ管４０を示す。わかるように、中断管４０の内部は第二化学発光流体１２０を含有する封止されたドーナツ管キャビティ４４を形成する。破壊されやすいバリヤー４２ａは壁キャビティ２４とドーナツ管キャビティ４４を分離する。中断ドーナツ管４０は外部側壁２０ｂの上からくぼみ、内部側壁２０ａの周囲部分に沿って延びる。
【００２５】
外部キャップ壁５０ａ及び外部キャップ頂部５０ｂを有する除去可能な保護キャップ組立体５０が示されている。外部キャップ壁５０ａは容器１０の第二部分１４の上に受けられ、ドーナツ管４０上に保護バリヤーを形成するように適応されている。保護キャップ組立体５０は保護キャップ組立体５０の除去で中断ドーナツ管４０を圧縮するように適応された圧縮タブ５２をさらに含む。この圧縮は、破壊されやすいバリヤー４２ａが破壊され、第一及び第二化学発光流体１１０，１２０が混合して化学発光反応を生成できるのに十分なものである。図１に示された実施態様では、外部側壁２０ｂの上部端２０ｂ′は外部側壁２０ｂに封止可能なクロージャを形成するように保護キャップ組立体５０を受けるように適応される。この実施態様では、保護キャップ組立体５０は回転自在に分離可能なクロージャを形成するように容器１０から回転自在に除去可能である。本発明の代替実施態様によって使用されるクロージャ手段の一つのタイプは上部端２０ｂ′に取り付けられた外部ランドを含み、さらにかかる外部ランドによって受けられた外部キャップ壁の内部ランドを含む。クロージャを形成するための別の公知の方法を使用することは当業者に明らかであろう。
【００２６】
本発明の別の実施態様では、図４Ａに示されるように、この実施態様のドーナツ管４０は内部側壁２０ａ及び外部側壁２０ｂの共通の上部リム２５の下に配置され、出っ張り２５ａ及び２５ｂによって封止壁キャビティ２４内に適所に維持される。この実施態様では、共通の上部リム２５は共通の上部リム２５が容易に変形可能であるように可撓性プラスチック材料から形成される。ドーナツ管４０は破壊されやすい壁バリヤー４２で形成されるが、共通の上部リム２５から分離される。破壊されやすいバリヤー４２は壁キャビティ２４とドーナツ管キャビティ４４を分離する。破壊されやすいバリヤー４２は可撓性の共通の上部リム２５の十分な変形が破壊されやすいバリヤー４２を破壊させるように可撓性の共通の上部リム２５の下に直接配置される。この実施態様では、容器１０の外部壁２０ｂは硬質プラスチックから形成されることができる。外部壁２０ｂの末端はキャップ５０を受ける領域２１を与える。この実施態様では、破壊されやすいバリヤー４２及び可撓性の共通の上部リム２５は外部壁２０ｂの末端とキャップを受ける領域２１を越えて上方に延びる。この実施態様の変形例では、キャップを受ける領域２１は外部キャップ壁５１ａを受けることができ、それは保護バリヤーを形成する。
【００２７】
今、図４Ｂを参照すると、図４Ａの実施態様の特徴を含む実施態様が示されている。この実施態様では、保護外部カラー２６は共通の上部リム２５との末端で外部壁２０ｂ上に配置される。保護外部カラー２６は硬質プラスチックの如き硬い材料から作られ、保護バリヤーの部分を形成する。この実施態様の一変形例では、保護外部カラー２６の高さは保護外部カラー２６が破壊されやすいバリヤー４２及び可撓性の共通の上部リム２５を越えて上方に延びるようなものであり、保護外部カラー２６が完全な横方向の防護を与えるようなものである。この実施態様の別の変形例では、保護外部カラー２６の高さは保護カラー２６が上方に延びるが、破壊されやすいバリヤー４２及び可撓性の共通の上部リム２５を越えないようなものであり、保護外部カラー２６が部分的な横方向の防護を与えるようなものである。この実施態様の他の変形例では、保護外部カラー２６は外部キャップ壁５１ａを受けるためのキャップ受容領域を与え、それは保護バリヤーの別の部分を形成する。この実施態様のさらに他の変形例では、外部キャップ壁５１ａの部分は保護外部カラー２６の頂部を越えて下方に延びる。
【００２８】
今、図４Ｃを参照すると、図４Ｂの実施態様の特徴を含む実施態様が示される。この実施態様では、保護内部カラー２８は共通の上部リム２５との末端で内部壁２０ａ上に配置される。保護内部カラー２８は硬質プラスチックの如き硬い材料から作られる。この実施態様の一つの変形例では、保護内部カラー２８の高さは保護内部カラー２８が破壊されやすいバリヤー４２及び可撓性の共通の上部リム２５を越えて上方に延びるようなものであり、保護内部カラー２８が保護外部カラー２６とともに破壊されやすいバリヤー４２及び可撓性の共通の上部リム２５を含有しかつ防護する溝を与えるようなものである。この実施態様の別の変形例では、保護内部カラー２８の高さは保護内部カラー２８が上方に延びるが破壊されやすいバリヤー４２及び可撓性の共通の上部リム２５を越えないようなものである。
【００２９】
今、図３を参照すると、化学発光容器１０の頭上図が示されている。圧縮可能なドーナツ管４０は封止第二成分キャビティ４４を規定する。中断ドーナツ管４０は肩部３０ａに沿った内部側壁２０ａに沿って半径方向外方に延びる。中断ドーナツ管４０は側壁２０ａの周囲のまわりの弧に沿って延びる。弧は３６０度未満にわたり、従って管４０のドーナツ形状の中断を示す。残りの弧１３０は示され、管４０の弧の全長より小さい円の弧に等しいものとして規定される。
【００３０】
図３は肩部３０ａにわたって半径方向外方に延びるタブ受容領域３６をさらに示す。タブ受容領域３６は内部側壁２０ａの周囲のまわりの残りの弧１３０に沿って延びる。容器１０の第二又は上方部分１４は図３に示される。流体開口３３を規定する首部３２で終わる側壁３０が示される。外部ランド３４を有する首部３２が示される。
【００３１】
今、図２を参照すると、キャップ組立体５０の下側図が示される。キャップ組立体５０は内部キャップ５５を含む。内部キャップ５５は内部キャップ頂部５０ｂから下方に延びる。内部ランド５４は、ねじ込まれた回転自在に分離可能なクロージャを形成するように容器１０の首部３２の外部ランド３４とかみ合うために内部キャップ５５に取り付けられて示される。
【００３２】
今、図１，１Ａ，１Ｂ及び２を参照すると、圧縮タブ５２はタブ受容領域３６に向けて外部キャップ壁５０ａに取り付けられて示される。図１及び１Ａの横断面図は、キャップ組立体５０が回転されて流体１００を含有する容器１０を開放するときに中断ドーナツ管４０が圧縮タブ５２の動きを機械的に妨げるように圧縮タブ５２が配置されることを示す。図１の発明の実施態様の化学発光容器１０からの保護キャップ組立体５０の除去は三つの同時に連動された機能を有する：それは容器１０を開放して内部キャビティ２２中の流体１００へのアクセスを与え、それは早期の又は意図しない圧縮から中断ドーナツ管４０を守る保護バリヤーを除去し、それは圧縮タブ５２に中断ドーナツ管４０を十分に圧縮させて破壊されやすいバリヤー４２ａを破壊し化学発光反応を生成する。
【００３３】
本発明の一つの新規な側面は図１に示された実施態様の組立の方法である。図２及び３を再び参照すると、図１で組み立てられて示される本発明の実施態様は組立時に中断ドーナツ管４０の圧縮を防止するためにキャップ組立体５０の圧縮タブ５２の適切な整合を持たなければならないことがわかる。容器１０は回転自在に開放されるので、組立の一つの方法はキャップ組立体５０、従って内部キャップ５５を首部３２で回転することを示唆するだろう。しかしながら、これによりキャップ組立体５０の圧縮タブ５２はこの組立の方法時に中断ドーナツ管４０を通って回転し、それを圧縮するだろう。
【００３４】
この困難性は本発明の追加の実施態様を使用することによって克服される。この実施態様では、組立体はまず内部キャビティ２２を選択された流体１００で充填することによって達成される。キャップ組立体５０は圧縮タブ５２が中断ドーナツ管４０のいかなる部分上にも延びることなくタブ受容領域３６の上に位置されるように位置され整合される。構成要素が適切に整合されると、内部キャップ５５を首部３２上でスライドさせるのに十分な圧力がキャップ組立体５０に適用される。内部キャップ５５及び首部３２は降伏変形可能な材料から構成されるので、構成要素は内部キャップ５５が首部３２上でスライドできるように弾性的に変形する。
【００３５】
図１の実施態様の化学発光容器１０は飲料流体１００を包装するために好適な内部流体キャビティ２２を有する。除去可能な保護キャップ組立体５０は容器１０の開放が中断ドーナツ管４０の圧縮及び破壊されやすいバリヤー４２ａの破壊と必ず同時であるように設計されるので、飲料１００は化学発光容器１０の組立時に内部キャビティ２２中に位置されなければならない。従って、使用者は化学発光容器１０の開放時の化学発光反応からの光の存在が化学発光容器１０内の元々包装されていた飲料１００（又は他の商品、例えば医薬）の対応する存在を知らせることを安全に想定することができる。本発明の装置のこの新規な特徴は飲料配達の分野で本発明を実践する新規な方法を提供する。化学発光容器１０に包装された飲料１００の選択は第一及び第二化学発光流体１１０，１２０を含む化学成分の選択を通して化学発光反応の色の選択と調和されることができる。従って、色の特徴は包装された飲料１００の特徴に関する情報を与えるために使用されることができる。
【００３６】
この新規な方法を使用する一つの例は特定の化学発光容器１０内に包装されたアルコール飲料のプルーフを化学発光容器１０を開放することによって生成された化学発光の色と調和することである。この例の方法では、第一及び第二化学発光流体１１０，１２０は三つの化学発光色：緑、青及び赤のいずれかを生成するために多数の化学発光流体成分から選択されることができる。同様に、及び例によれば、包装された飲料のアルコール含有物は１０プルーフ、４０プルーフ及び１００プルーフから選択されることができる。それぞれ選択可能な色を異なる選択可能なアルコールレベルに合わせることによって、色は消費者に新しく開放された化学発光容器１０のアルコール含有物の視覚的信号を与える。例えば、緑は１０プルーフと対にされることができ、青は４０プルーフと対にされることができ、赤は１００プルーフと対にされることができる。この方法の後、もし飲料を含有する未開放の化学発光容器１０を提供された個々の消費者がキャップ組立体５０をねじり取り、青の化学発光を観察するなら、その消費者は容器１０内に含まれる飲料１００が４０プルーフアルコール含有物を有することを知る。
【００３７】
従って、この新規な方法を実践するとき、化学発光容器１０を組み立てる方法はさらに、予め決められた群の飲料から化学発光容器１０に包装される飲料１００を選択し提供する工程を含む。次に、色は予め決められた群の色から選択され、色の群のうち各色は予め決められた群の飲料の別個の飲料に相当する。次いで、予め決められた群の化学発光流体から第一及び第二化学発光流体１１０，１２０を選択し、選択された第一及び第二化学発光流体１１０，１２０は選択された飲料１００に相当する選択された色を反応生成するように適応されている。選択された第一及び第二化学発光流体１１０，１２０を含有する化学発光容器１０の適切な成分がそのとき与えられる。選択された飲料１００を封止可能に包装するような化学発光容器１０の組立は上記のように行う。
【００３８】
本発明の他の実施態様及びそれを実施する方法はソフトドリンク及びスポーツドリンクなどの飲料及び色の他の組合せに向けられる。さらに他の実施態様は医薬、香水、シャンプー及びマウスウォッシュなどの飲料以外の消費者商品の包装に向けられる。当業者は本発明及びその実施方法が様々な低下した視認性の条件で使用するための流体を包装するために変更されてもよいことを認識するだろう。
【００３９】
従って、新規かつ有用な化学発光容器の本発明の特定の実施態様を記載したが、かかる参照は特許請求の範囲に述べた以外の発明の範囲に限定して解釈されることは意図されない。
【図面の簡単な説明】
【００４０】
【図１】本発明の化学発光容器の一実施態様の横断面図である。
【図１Ａ】図１の実施態様の拡大部分図である。
【図１Ｂ】除去されたキャップ組立体を示す図１の実施態様である。
【図２】図１に示された実施態様のキャップ組立体の下側図である。
【図３】図１に示された実施態様の内部及び外部容器の頭上図である。
【図４Ａ−Ｃ】本発明の化学発光容器の三つの実施態様の横断面図であり、各図は一実施態様のドーナツ管及び共通の上部リムの詳細を示す。
【図１】
2007510597.tif 000003
【図１Ａ】
2007510597.tif 000004
【図１Ｂ】
2007510597.tif 000005
【図２】
2007510597.tif 000006
【図３】
2007510597.tif 000007
【図４Ａ−Ｃ】
2007510597.tif 000008
【手続補正書】
【提出日】平成17年4月28日(2005.4.28)
【手続補正１】
【補正対象書類名】特許請求の範囲
【補正対象項目名】全文
【補正方法】変更
【補正の内容】
【特許請求の範囲】
【請求項１】
下記のものを含む化学発光容器：
第一化学発光流体を含有する第一封止キャビティを有し、かつ第二化学発光流体を含有する第二封止キャビティを有する二重壁容器；
前記第一キャビティと前記第二キャビティを分離する破壊されやすいバリヤー；及び
回転可能部材の回転時に前記破壊されやすいバリヤーを破壊するように適応された回転可能部材であって、前記二重壁容器によって受けられ、かつ除去可能なキャップの回転前に前記破壊されやすいバリヤーの破壊を防止するように適応され、かつ前記除去可能なキャップの除去時に前記破壊されやすいバリヤーを破壊するように適応されている除去可能なキャップを含む回転可能部材。
【請求項２】
前記キャップ及び前記二重壁容器が封止可能なクロージャを形成するように適応されている請求項１に記載の化学発光容器。
【請求項３】
下記のものを含む化学発光容器：
第一化学発光流体を含有する封止壁キャビティを有する二重壁容器；
第二化学発光流体を含有する封止カプセルキャビティを有し、かつ前記カプセルキャビティと前記壁キャビティを分離する破壊されやすいバリヤーを含むカプセル；及び
前記破壊されやすいバリヤーの破壊を防止するように適応されている前記二重壁容器によって受けられ、かつ除去可能なキャップの除去時に前記破壊されやすいバリヤーを破壊するように適応されている除去可能なキャップ。
【請求項４】
前記キャップ及び前記二重壁容器が封止可能なクロージャを形成するように適応されている請求項３に記載の化学発光容器。
【請求項５】
下記のものを含む化学発光容器：
外部壁及び内部壁を含み、前記外部壁及び前記内部壁が第一化学発光流体を含有する封止第一成分キャビティを規定する外部容器；
破壊されやすいバリヤー；
封止第二成分キャビティを規定するように前記破壊されやすいバリヤーで形成された中断ドーナツ管であって、前記封止第二成分キャビティが第二化学発光流体を含有し、前記ドーナツ管が３６０度未満にわたる弧に沿って延びるドーナツ管；
前記弧によって規定される残りの弧に沿って延びるタブ受容領域；及び
外部キャップ；及び前記外部キャップに付けられかつ前記タブ受容領域中に延びる圧縮タブであって、キャップ組立体の回転により前記圧縮タブが前記破壊されやすいバリヤーを破壊する圧縮タブを含むキャップ組立体。
【請求項６】
前記内部容器壁が流体開口を規定する首部で終わり、前記首部がクロージャ手段を受けるように適応され、
前記キャップ組立体が回転自在に分離可能なクロージャを形成するように前記内部壁の前記首部によって受けられる内部キャップをさらに含む請求項５に記載の化学発光容器。
【請求項７】
前記内部容器壁が流体を保持するように適応されている請求項６に記載の化学発光容器。
【請求項８】
前記キャップが突出部を含み、前記突出部は前記キャップの回転により前記破壊されやすいバリヤーに係合して前記破壊されやすいバリヤーを破壊する請求項１に記載の化学発光容器。
【国際調査報告】
2007510597.tif 000009